(57)【要約】【課題】耐障害性を高めて、放送コンテンツを確実に再生可能に記録することができる放送記録装置を提供する。【解決手段】放送信号を受信しこれを復調して映像音声信号を出力するチューナ部１３と、映像音声信号を記憶領域に記録する第１及び第２のハードディスクドライブ６１，６２と、映像音声信号を第１ハードディスクドライブの第１保存記憶領域Ａ４と第２ハードディスクドライブの第２保存記憶領域Ａ５とのそれぞれに記録するべく第１及び第２ハードディスクドライブを制御する制御部３０，４２とをもつ放送記録装置。【選択図】図１
2007149298.tif 000002
【特許請求の範囲】
【請求項１】
放送信号を受信しこれを復調して映像音声信号を出力するチューナ部と、
前記チューナ部からの前記映像音声信号を記憶領域に記録する第１及び第２のハードディスクドライブ部と、
前記映像音声信号を前記第１ハードディスクドライブ部の第１保存記憶領域と前記第２ハードディスクドライブ部の第２保存記憶領域とのそれぞれに記録するべく前記第１及び第２ハードディスクドライブ部を制御する制御部と、
を具備することを特徴とする放送記録装置。
【請求項２】
前記映像音声信号に応じた映像を表示するディスプレイを更に有することを特徴とする請求項１記載の放送記録装置。
【請求項３】
前記制御部は、前記映像音声信号を前記第１ハードディスクドライブ部又は第２ハードディスクドライブ部の少なくとも一方のループ記憶領域に、制限時間の範囲で記録を行い前記制限時間を超えると既に記録された記憶領域に上書き記録を行なうループ録画を行なうことを特徴とする請求項１記載の放送記録装置。
【請求項４】
前記制御部は、前記映像音声信号を、前記第１ハードディスクドライブ部の第１ループ記憶領域及び前記第２ハードディスクドライブ部の第２ループ記憶領域に分散して前記ループ録画を行なうべく制御することを特徴とする請求項３記載の放送記録装置。
【請求項５】
前記制御部は、前記ループ記憶領域に前記ループ録画された映像音声信号を、更に、前記第１ハードディスクドライブ部の前記第１保存記憶領域と前記第２ハードディスクドライブ部の前記第２保存記憶領域とのそれぞれに記録するべく制御する請求項３記載の放送記録装置。
【請求項６】
前記第1及び第２ハードディスクドライブ部内の前記保存記憶領域と前記ループ記憶領域とは、パーティションで分割されていることを特徴とする請求項３記載の放送記録装置。
【請求項７】
所定情報に応じて自動的に予約番組を決定する自動予約機能をもち、前記自動予約機能により決定された予約番組と、操作信号により特定された予約番組とに基づき、前記チューナ部を用いて前記放送信号の予約録画を行なう予約録画部を更に有し、
前記制御部は、前記予約録画部が前記自動予約機能により決定された予約番組に応じる映像音声信号を前記第１ハードディスクドライブ部に、前記操作信号により特定された予約番組に応じる映像音声信号を前記第２ハードディスクドライブ部に記録するべく制御することを特徴とする請求項１記載の放送記録装置。
【請求項８】
前記映像音声信号を記憶領域に記録する第３のハードディスクドライブ部を更に有しており、
前記制御部は、前記第１乃至第３ハードディスクドライブ部を対象に、前記映像音声信号の記録を行なうことを特徴とする請求項１記載の放送記録装置。
【請求項９】
前記制御部は、前記第１乃至第３ハードディスクドライブ部に記録されたデータのパリティデータを生成し、これらを前記第１乃至第３ハードディスクドライブ部に分割して記録することを特徴とする請求項８記載の放送記録装置。
【請求項１０】
前記制御部は、リモートコントローラのスイッチの押下による信号を検出することで、前記映像音声信号を、前記第１ハードディスクドライブ部の第１保存記憶領域と前記第２ハードディスクドライブ部の第２保存記憶領域とのそれぞれに記録することを特徴とする請求項１記載の放送記録装置。
【請求項１１】
前記制御部は、リモートコントローラの第１スイッチの押下による信号を検出すると、前記映像音声信号を前記第１ハードディスクドライブ部又は第２ハードディスクドライブ部の少なくとも一方のループ記憶領域に、制限時間の範囲で記録を行い前記制限時間を超えると既に記録された前記ループ記憶領域に上書き記録を行なうループ録画を行い、
前記リモートコントローラの第２スイッチの押下による信号を検出すると、前記映像音声信号を、前記第１ハードディスクドライブ部の第１保存記憶領域と前記第２ハードディスクドライブ部の第２保存記憶領域とのどちらか一方に記録し、
前記リモートコントローラの第３スイッチの押下による信号を検出すると、前記映像音声信号を、前記第１ハードディスクドライブ部の前記第１保存記憶領域と前記第２ハードディスクドライブ部の前記第２保存記憶領域とのそれぞれに記録することを特徴とする請求項１記載の放送記録装置。
【請求項１２】
前記ハードディスクドライブ部は、インタフェース部を有しており着脱可能であることを特徴とする請求項１記載の放送記録装置。
【請求項１３】
放送信号を受信し復調して映像音声信号を出力し、
前記映像音声信号を第１ハードディスクドライブ部の第１保存記憶領域と第２ハードディスクドライブ部の第２保存記憶領域とのそれぞれに記録することを特徴とする放送記録方法。
【請求項１４】
前記映像音声信号を前記第１ハードディスクドライブ部又は第２ハードディスクドライブ部の少なくとも一方のループ記憶領域に、制限時間の範囲で記録を行い前記制限時間を超えると既に記録された記憶領域に上書き記録を行なうループ録画を行なうことを特徴とする請求項１３記載の放送記録方法。
【請求項１５】
前記映像音声信号を、前記第１ハードディスクドライブ部の第１ループ記憶領域及び前記第２ハードディスクドライブ部の第２ループ記憶領域に分散して前記ループ録画を行なうべく制御することを特徴とする請求項１４記載の放送記録方法。
【請求項１６】
前記ループ記憶領域に前記ループ録画された映像音声信号を、更に、前記第１ハードディスクドライブ部の前記第１保存記憶領域と前記第２ハードディスクドライブ部の前記第２保存記憶領域とのそれぞれに記録するべく制御する請求項１５記載の放送記録方法。
【請求項１７】
前記第１及び第２ハードディスクドライブ部だけでなく、第３ハードディスクドライブ部をも対象に、前記映像音声信号の記録を行なうことを特徴とする請求項１３記載の放送記録方法。
【発明の詳細な説明】
【技術分野】
【０００１】
この発明は、複数のハードディスクドライブ部に映像信号を記録する放送記録装置に関し、特に、複数のハードディスクドライブ部に同一の映像音声信号を記録する放送記録装置に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、簡易な操作によって予約録画等が可能となるため、より多くの映像音声情報が記憶領域に記憶されることとなる。従って、単に一つのハードディスクに映像音声信号を記録するというだけでなく、ユーザの番組の視聴の仕方に応じて、様々なハードディスクへの録画方法が有効となる。
【０００３】
特許文献１においては、複数のハードディスクドライブを設け、一方のハードディスクドライブを一定時間内の繰り返し録画である番組コンテンツの上書き記録に用い、他方のハードディスクドライブをこの上書き記録した番組コンテンツを長期保存するための保存録画に用いる放送番組記録装置を開示している。
【特許文献１】特開２００３−６１０２２公報
【発明の開示】
【発明が解決しようとする課題】
【０００４】
しかし、上記した従来技術においては、番組コンテンツを長期保存するためのハードディスクドライブは一つであり、このハードディスクドライブが経年劣化やデータエラー等の原因で突然再生不能となる場合がある。この場合、ハードディスクドライブの機能はフォーマットして復旧することが多いが、フォーマット後は記録した番組コンテンツを再生することが不可能となるという問題がある。
【０００５】
本発明は、耐障害性を高め放送コンテンツを確実に再生可能に記録することができる放送記録装置を提供することを目的とする。
【課題を解決するための手段】
【０００６】
本発明の一実施形態は、放送信号を受信しこれを復調して映像音声信号を出力するチューナ部と、前記映像音声信号を記憶領域に記録する第１及び第２のハードディスクドライブ部と、前記映像音声信号を前記第１ハードディスクドライブ部の第１保存記憶領域と前記第２ハードディスクドライブ部の第２保存記憶領域とのそれぞれに記録するべく前記第１及び第２ハードディスクドライブ部を制御する制御部とを具備することを特徴とする放送記録装置である。
【０００７】
この放送記録装置は、同一の放送コンテンツを複数のハードディスクドライブにそれぞれミラー録画するため、運悪く一方のハードディスクドライブが再生不能となっても、もう一方のハードディスクドライブに録画された放送コンテンツを再生することができる。
【発明の効果】
【０００８】
耐障害性を高めることで、放送コンテンツを確実に再生可能に記録することができる放送記録装置を提供する。
【発明を実施するための最良の形態】
【０００９】
以下、この発明の実施の形態について図面を参照して詳細に説明する。  
すなわち、図１は、本発明の一実施形態に係る放送記録装置の構成の一例を示すブロック図、図２乃至図１０は、同じく放送記録装置が有する記録保存システムの構成の一例を示す説明図、図１１は、同じく放送記録装置を操作するためのリモコン装置の一例を示す説明図、図１２は、同じく放送記録装置の保存処理の一例を示すフローチャート、図１３は、同じく放送記録装置のミラー保存を含む保存処理の一例を示すフローチャートである。
【００１０】
＜本発明の一実施形態に係る放送記録装置＞
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【００１１】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１２】
図１において、デジタルテレビジョンである放送記録装置１０は、２種類のディスクドライブを有する。まず、第1のメディアとして複数のハードディスクを駆動する記録保存部５１を有し、次に、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１３】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続される記録保存部５１、光ディスクドライブ部１９を有している。更に、放送記録装置１０は、記録保存部５１、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、ループ録画・保存録画・ミラー録画制御部４２、予約録画部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１４】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、記録保存部５１や光ディスクドライブ部１９の記録再生指示や、編集指示、又、チューナの操作、予約録画の設定等、各種設定が可能である。
【００１５】
（基本動作）
・放送コンテンツ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツをディスプレイ２６に表示する。
【００１６】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、コンテンツ情報等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１７】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１８】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１９】
又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２０】
ここで図１の装置は、エンコーダ部２１でエンコードされた情報（ビデオ、オーディオ、副映像データなどのパック）及び作成された管理情報を、制御部３０を介して記録保存部５１又は光ディスクドライブ部１９に供給し、記録保存部５１、又は、光ディスクＤに記録することができる。又、記録保存部５１や光ディスクＤに記録された情報を、制御部３０、光ディスクドライブ部１９を介して光ディスクＤや記録保存部５１に記録することもできる。
【００２１】
信号編集部２０により、記録保存部５１や光ディスクＤに記録されている複数番組のビデオ・オブジェクトを、一部削除したり、異なる番組のオブジェクトをつなげたり、といった編集処理を行うこともできる。
【００２２】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２３】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２４】
・予約録画処理
又、通信部１１等から取得した電子番組情報に基づいて、予約録画部４３によりユーザのリモコンＲ等の操作により特定した番組に応じて、録画予約処理が可能である。予約された予約録画情報に基づいて、制御部３０及び予約録画部４３の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、記録保存部５１に記録（予約録画）される。
【００２５】
この実施形態の放送記録装置１０は、このように総合的な機能を有しており、複数のソースに対して光ディスクＤ又は記録保存部５１による記録・再生処理を行うものである。
【００２６】
＜本発明の一実施形態である複数ハードディスクドライブによる記録処理＞
次に、上述した放送記録装置１０における記録保存部５１による記録処理について、図面を用いて詳細に説明する。
【００２７】
（記録保存部の形態）
初めに、上述した放送記録装置１０における記録保存部５１の具体的な形態について、図面に沿って説明する。図１において、記録保存部５１は、信号編集部２０からの信号及びデータバスＢからの信号により制御されるＨＤＤコントローラ５２と、ＨＤＤコントローラ５２に接続されて制御される複数のハードディスクドライブ６１、６２とを有している。記録保存部５１は、少なくとも、図２に示すようにストライピングによってループ録画を行い、図３に示すようにミラー録画を行ない、図４に示すようにループ録画の保存録画を行なう。
【００２８】
なお、これらの複数のハードディスクドライブ６１、６２及び後述するハードディスクドライブは、着脱可能に構成することも好適であり、インタフェースは、２つ以上用意され、ＳＡＴＡ、ＡＴＡ、ＩＤＥ等が望ましいがこれに限らない。
【００２９】
更に、他の記録保存部５１の形態として、図５に示すように、ＨＤＤコントローラ５２及びＲＡＭ５３に接続されたＨＤＤインタフェース５４を介して、三つのハードディスクドライブ６３，６４，６５が設けられる場合が好適である。記録保存部５１は、図６に示すようにストライピングによってループ録画を行い、図７に示すようにミラー録画を行ない、図８に示すようにループ録画の保存録画を行なう。
【００３０】
なお、このように三つ以上のハードディスクドライブ６３，６４，６５等を設けた場合は、図８のように、パリティを生成することが有効となる。すなわち、ＨＤＤコントローラ５２等の働きにより、第１乃至第３のハードディスクドライブ６３，６４，６５に記録されたデータのパリティデータを生成し、これらを第１乃至第３ハードディスクドライブに分割して記録することにより、どれか一つのハードディスクドライブが障害が発生しても、データの復旧が可能となるものである。又、パリティ生成は、ハードディスクドライブが二つの場合であってもかまわない。
【００３１】
更に、他の記録保存部５１の形態として、図９に示すように、ＨＤＤコントローラ５２及びＲＡＭ５３に接続されたＨＤＤインタフェース５４を介して、１つのハードディスクドライブ７３を設ける。更に、このＨＤＤコントローラ５２に複数のインタフェース、すなわち、通信Ｉ／Ｆ８１，８２，ＵＳＢＩ／Ｆ８３，ｉＬｉｎｋＩ／Ｆ８４を設ける。ここで、通信Ｉ／Ｆ８１には、外付けＨＤＤ９１が接続され、通信Ｉ／Ｆ８２には、ハブ９２を介して複数のＨＤＤ９３，９４が接続され、ＵＳＢＩ／Ｆ８３にはＨＤＤ９５が接続され、ｉＬｉｎｋＩ／Ｆ８４にはＨＤＤ９６が接続される。
【００３２】
更に、図１０においては、図９の記録保存部５１の形態に対して、ＨＤＤコントローラと各インタフェースとの間に暗号／復号部８５を設けることで、外付けＨＤＤに放送コンテンツを記録したとしても、ここから放送コンテンツが外部に流出することを防止できるため放送コンテンツの著作権を保護することができる。
【００３３】
（ループ録画と保存録画）
次に、ループ録画について図１２のフローチャートと図２及び図６を用いて説明する。本発明の一実施形態の放送記録再生装置１０においては、例えば、地上波デジタル／アナログチューナ部１３からの放送コンテンツを音声映像処理部２４で再生した再生映像をディスプレイ２６に表示している状態で、ユーザがリモコンのループ録画スイッチ１０１を押下することで、ループ録画が行なわれる（ステップＳ１１）。
【００３４】
すなわち、制御部３０及びループ録画・保存録画・ミラー録画制御部４２は、ループ録画スイッチ１０１からの操作信号を受けると、地上波デジタル／アナログチューナ部１３からの映像音声信号をエンコーダ部２１に供給し、エンコーダ部２１によりエンコードされた映像音声信号は、信号編集部２０を介してＨＤＤコントローラ５２に供給される。更に、この映像音声信号は、ループ録画・保存録画・ミラー録画制御部４２及びＨＤＤコントローラ５２の働きにより、図２及び図６に示すように、複数のＨＤＤ６１，６２又はＨＤＤ６３，６４，６５のそれぞれのループ記憶領域Ａ１，Ａ２，又はＡ３に、領域毎にそれぞれ割り振られ（ストライピングされ）て記憶される（ステップＳ１２）。ここで、ループ録画は、例えば、２時間等のように制限時間を設けて再生可能に録画されるもので、録画時間がこの制限時間を超えると、ループ記憶領域Ａ１，Ａ２の古い領域から更に上書きされることで、上書きされた領域は録画不能となるものであるが、これにより、ＨＤＤの記録領域を節約することが可能となるものである。
【００３５】
更に、ここで、ユーザによりリモコンの保存録画スイッチ１０２が押下されると（ステップＳ１３）、図３又は図４、図８に示すように、ループ記憶領域Ａ１，Ａ２，Ａ３に記憶されていた映像音声信号は、制御部３０及びループ録画・保存録画・ミラー録画制御部４２の働きにより、保存記憶領域Ａ４，Ａ５に保存記憶される。これにより、映像音声信号は、ループ記憶領域のように上書きされて消去してしまう心配がなくなるため、ユーザは任意の時に自由に視聴することが可能となるものである。
【００３６】
又、リモコンの保存録画スイッチ１０２が押下されずストップスイッチ１０４が押下されると（ステップＳ１４）、そこでループ録画は終了となる。
【００３７】
なお、ここで、図４に示すように、保存先を複数のＨＤＤとし、コンテンツ毎にこれを指定することが好適である。この保存先の指定は、後述する予約録画の録画予約情報において、番組毎に行なうことも好適である。これにより、毎日のニュースやドラマ等のお好み番組の保存を確実に行うことも可能となる。
【００３８】
（ミラー録画）
次に、ミラー録画について図１２のフローチャートと図２及び図６を用いて説明する。上記した保存録画を行なうことで、ループ記憶領域で上書き消去されることなく映像音声信号は記録されるが、ハードディスクの長期間の使用によっては経年劣化やデータエラー等の原因で突然再生不能となる場合がある。ここで、ハードディスクドライブはフォーマットして機能が復旧することが多いが、フォーマット後は記録した番組コンテンツは再生不能となってしまう。
【００３９】
これに対して、ミラー録画とは、図３、図７に示すように、同一の映像音声信号を複数のＨＤＤ６１，６２の第１ハードディスクドライブの第１保存記憶領域Ａ４と第２ハードディスクドライブの第２保存記憶領域Ａ５に録画するものである。これにより、一方のＨＤＤが再生不能に陥っても、他方のＨＤＤに記録された映像音声信号を再生することで、再生不能を回避することができる。
【００４０】
・リモコンスイッチによるループ録画・保存録画・ミラー録画
次に、図１３のフローチャートを用いてループ録画・保存録画・ミラー録画を詳細に説明する。これらのループ録画・保存録画・ミラー録画は、リモコンＲのスイッチ１０１，１０２，１０３，１０４等により制御することが好適である。すなわち、図１３のフローチャートにおいて、本発明の一実施形態の放送記録再生装置１０に対し、例えば、地上波デジタル／アナログチューナ部１３からの放送コンテンツを音声映像処理部２４で再生した再生映像をディスプレイ２６に表示している状態で、ユーザがリモコンのループ録画スイッチ１０１を押下することで、ループ録画が行なわれる（ステップＳ２１）。
【００４１】
このとき、制御部３０及びループ録画・保存録画・ミラー録画制御部４２は、ループ録画スイッチ１０１からの操作信号を受けると、地上波デジタル／アナログチューナ部１３からの映像音声信号をエンコーダ部２１に供給し、エンコーダ部２１によりエンコードされた映像音声信号は、信号編集部２０を介してＨＤＤコントローラ５２に供給される。更に、この映像音声信号は、ループ録画・保存録画・ミラー録画制御部４２及びＨＤＤコントローラ５２の働きにより、図２及び図６に示すように、複数のＨＤＤ６１，６２又はＨＤＤ６３，６４，６５のそれぞれのループ記憶領域Ａ１，Ａ２，又はＡ３に、領域毎にそれぞれ割り振られ（ストライピングされ）て記憶される（ステップＳ２２）。このループ録画は、ストップスイッチ１０４の押下により停止する（ステップＳ２３）。
【００４２】
又、放送コンテンツを音声映像処理部２４で再生した再生映像をディスプレイ２６に表示している状態で、ユーザにより、リモコンのループ録画スイッチ１０１が押下されずに（ステップＳ２１）、保存録画スイッチ１０２が押下されると（ステップＳ２４）、映像音声信号は、信号編集部２０を介してＨＤＤコントローラ５２に供給され、ループ録画・保存録画・ミラー録画制御部４２及びＨＤＤコントローラ５２の働きにより、図３及び図７に示すように、例えば、ＨＤＤ６１の保存記憶領域Ａ４又はＨＤＤ６２の保存記憶領域Ａ５等に保存される（ステップＳ２５）。しかしながら、ミラー録画されるわけではない。これらの保存録画は、ストップスイッチ１０４の押下により停止する（ステップＳ２６）。
【００４３】
更に、放送コンテンツを音声映像処理部２４で再生した再生映像をディスプレイ２６に表示している状態で、ユーザにより、リモコンの保存録画スイッチ１０２が押下されずに（ステップＳ２４）、ミラー録画スイッチ１０３が押下されると（ステップＳ２７）、映像音声信号は、信号編集部２０を介してＨＤＤコントローラ５２に供給され、ループ録画・保存録画・ミラー録画制御部４２及びＨＤＤコントローラ５２の働きにより、ミラー録画がなされる。すなわち、映像音声信号は、信号編集部２０を介してＨＤＤコントローラ５２に供給され、ループ録画・保存録画・ミラー録画制御部４２及びＨＤＤコントローラ５２の働きにより、図３及び図７に示すように、例えば、同一の映像音声信号が、ＨＤＤ６１の保存記憶領域Ａ４及びＨＤＤ６２の保存記憶領域Ａ５にそれぞれ記録されるものである（ステップＳ２７）。これにより、一方のＨＤＤが再生不能に陥っても、他方のＨＤＤに記録された映像音声信号を再生することで、再生不能を回避することができるものである。
【００４４】
なお、これらのループ録画、保存録画、ミラー録画は、上述したように、デジタルテレビジョン（又はハードディスクレコーダ等）のチューナにより放送コンテンツを視聴中に、リモコンＲのループ録画スイッチ１０１、保存録画スイッチ１０２、ミラー録画スイッチ１０３を単独に押下することで起動するものである。
【００４５】
しかし、それ以外にも、既にループ録画中に保存録画スイッチ１０２を押下することで、途中から保存録画に移行する場合、同様に、既にループ録画中にミラー録画スイッチ１０３を押下することで、途中からミラー録画に移行する場合も同様に可能である。
【００４６】
又、更に、特に放送記録装置がハードディスクレコーダ（又は予約録画機能付きのデジタルテレビジョン）である場合、予約録画部４３の録画予約画面において、通常の保存録画を行なうのか、ミラー録画で予約録画を行なうのかを設定し、設定時間が来たら、通常の保存録画又はミラー録画を複数のハードディスクドライブを対象に予約録画することが好適である。
【００４７】
又、更に、放送記録装置がハードディスクレコーダ（又は予約録画機能付きのデジタルテレビジョン）である場合、予約録画が終了して、再生可能な放送コンテンツを選択可能に表示した表示画面において、これらの放送コンテンツを対象としてカーソル等で特定し、ミラー録画スイッチ１０３を押下することで、選択的に放送コンテンツ毎にミラー録画を行なうことが好適である。これらのミラー録画の設定操作によって、単一のハードディスクドライブに記録されていた映像音声信号は、他方のハードディスクドライブにミラー録画されることで、ハードディスクの故障に対しても再生可能に確実に保存し直すことが可能となる。
【００４８】
又、更に、放送記録装置がハードディスクレコーダ（又は予約録画機能付きのデジタルテレビジョン）である場合において、予約録画部４３に、更に、例えば、『サッカー』等のキーワードを入力し、サッカー番組を自動検索させてユーザの具体的な予約処理をさせることなく録画予約を行なう自動予約機能をもたせた場合にも、複数のＨＤＤの使用が好適となる。
【００４９】
すなわち、このような自動予約機能をもたせた予約録画部４３による予約録画においては、自動予約機能により取得した映像音声信号は図１の第１のハードディスクドライブ６１、通常のユーザのリモコンＲ等の操作に応じた操作信号により特定される予約番組に応じた映像音声信号は、第２のハードディスクドライブ６２等のように、録画予約先を特定することが好適である。これにより、複数のハードディスクドライブのコンテンツ情報の管理が非常に容易になるものである。又、自動予約機能の番組コンテンツを一つのハードディスクドライブに録画し、操作により予約録画した番組コンテンツを、確実に録画を行なうという意味で、上述したミラー録画（複数ハードディスクドライブへの録画）とするという方法も好適である。
【００５０】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５１】
【図１】本発明の一実施形態に係る放送記録装置の構成の一例を示すブロック図。
【図２】同じく放送記録装置が有する記録保存システムの構成の一例を示す説明図。
【図３】同じく放送記録装置が有する記録保存システムの構成の一例を示す説明図。
【図４】同じく放送記録装置が有する記録保存システムの構成の一例を示す説明図。
【図５】同じく放送記録装置が有する記録保存システムの構成の一例を示す説明図。
【図６】同じく放送記録装置が有する記録保存システムの構成の一例を示す説明図。
【図７】同じく放送記録装置が有する記録保存システムの構成の一例を示す説明図。
【図８】同じく放送記録装置が有する記録保存システムの構成の一例を示す説明図。
【図９】同じく放送記録装置が有する記録保存システムの構成の一例を示す説明図。
【図１０】同じく放送記録装置が有する記録保存システムの構成の一例を示す説明図。
【図１１】同じく放送記録装置を操作するためのリモコン装置の一例を示す説明図。
【図１２】同じく放送記録装置の保存処理の一例を示すフローチャート。
【図１３】同じく放送記録装置のミラー保存を含む保存処理の一例を示すフローチャート。
【符号の説明】
【００５２】
１１…通信部、１２…ＢＳ／ＣＳデジタル／アナログチューナ部、１３…地上波デジタル／アナログチューナ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…ループ録画・保存録画・ミラー録画制御部、５１…記録保存部、５２…ＨＤＤコントローラ、６１…ハードディスクドライブ、６２…ハードディスクドライブ。
【図１】
2007149298.tif 000003
【図２】
2007149298.tif 000004
【図３】
2007149298.tif 000005
【図４】
2007149298.tif 000006
【図５】
2007149298.tif 000007
【図６】
2007149298.tif 000008
【図７】
2007149298.tif 000009
【図８】
2007149298.tif 000010
【図９】
2007149298.tif 000011
【図１０】
2007149298.tif 000012
【図１１】
2007149298.tif 000013
【図１２】
2007149298.tif 000014
【図１３】
2007149298.tif 000015